(57)【要約】【課題】  突条帯の強度を増すことにより、輸送中や携帯中に使用者が突条帯を押した場合でも、破断して収納物が出てしまうのを防止できる分配包装体を提供する。【解決手段】  蓋部材２０における第１の面２１に突条帯３０を３列ないし５列連続して設け、突条帯３０の長手方向における中央にハーフカット２３の配置により、蓋部材２０を第２の面２２側に折り曲げたときに、複数の突条帯３０がハーフカット２３に沿って割れ、各突条帯３０の中空部分３５が蓋部材２０の第１の面２１側に連続して大きく開口し、収納部４０に収納された収納物４１を詰まることなく吐出する。また、突条帯３０の長手方向両端に、蓋部材２０の第１の面２１から略垂直に立ち上がる立上部３２を設けたので、突条帯３０の強度を増すことができ、輸送中や携帯中に使用者が突条帯３０を押した場合でも、破断して収納物が出てしまうのを防止できる。【選択図】  図１
2015098349.tif 000002
【特許請求の範囲】
【請求項１】
第１の面における第１の方向に、直線状にハーフカットが設けられた硬質で平板状の蓋部材と、
前記蓋部材の第１の面において前記第１の方向と交差する第２の方向に直線状に平行に配設され、前記第１の面から突出するとともに前記ハーフカットが設けられた複数の中空の突条帯と、
前記蓋部材の第２の面において前記ハーフカットの両側に対応して周囲が前記第２の面に密着状態で設けられた可撓性材料からなる収納部と、を備え、
前記ハーフカットにおいて前記蓋部材を前記第２の面側に折り曲げたときに、前記複数の突条帯が前記ハーフカットに沿って割れ、前記各突条帯の中空部分が前記蓋部材の第１の面側に露出して開口し、前記収納部に収納された収納物を吐出する分配包装体において、
前記蓋部材における前記第１の面に前記突条帯を３列ないし５列連続して設け、
前記突条帯の長手方向における中央に前記ハーフカットを配置し、
前記突条帯の長手方向両端に、前記蓋部材の第１の面から略垂直に立ち上がる立上部を設け、
前記突条帯の前記第１の方向に沿った両外側に、前記突条帯と平行でかつ前記突条帯よりも長い補強リブを設けた分配包装体。
【請求項２】
請求項１に記載の分配包装体において、
前記立上部の高さが、０．２ｍｍ以上１．０ｍｍ以下である分配包装体。
【請求項３】
請求項１または請求項２に記載の分配包装体において、
前記補強リブが、前記ハーフカットの位置で切断されるか又は前記ハーフカットが設けられている分配包装体。
【発明の詳細な説明】
【技術分野】
【０００１】
本発明は、食品や化粧品あるいは薬品等の全体として流動性を有する収納物を取出し可能に密封包装する分配包装体に関する。
【背景技術】
【０００２】
従来、ファーストフード店やコンビニエンスストア等で販売されるハンバーガーやホットドッグ、サラダ等の食品のなかには、マスタード、ケチャップ、ソース、ドレッシング、ジャム等の調味料を密封収納した分配包装体が添付されているものがある（例えば、特許文献１および特許文献２を参照）。
【０００３】
＜特許文献１の内容＞
図９に示すように、特許文献１に記載の分配包装体（分配パッケージ）１００では、蓋部材（応力集中部材）１０１と、蓋部材（応力集中部材）１０１の裏面に形成された少なくとも一つの収納部（チャンバ）１０２を形成するフレキシブル自己支持シート１０３とを有する。フレキシブル自己支持シート１０３は、蓋部材（応力集中部材）１０１の裏面に密着されている。
蓋部材（応力集中部材）１０１は、表面に応力集中パターン１０４を有する。応力集中パターン１０４は、樋、溝またはチャネル形状の突出部材１０６で形成されている。突出部材１０６は、中央部の突出部材１０６Ａと、中央部の突出部材１０６Ａの両外側の突出部材１０６Ｂで構成されている。両外側の突出部材１０６Ｂは、中央部の突出部材１０６Ａよりも長く形成されて補強材を兼ねている。突出部材１０６は、蓋部材（応力集中部材）１０１の裏面側に凹んで形成されている。
少なくとも中央部の突出部材１０６Ａには、折れ目線１０５が設けられている。折れ目線１０５は、表面に刻みを入れて形成されている。
【０００４】
＜特許文献１の問題点＞
しかしながら、上述した分配包装体（分配パッケージ）１００においては、突出部材１０６が蓋部材（応力集中部材）１０１の裏面側に凹んで形成されているため、蓋部材（応力集中部材）１０１の表面側から押圧された際に、突出部材１０６が破断しやすいという問題があった。
【０００５】
＜特許文献２の内容−１＞
また、図１０に示すように、特許文献２に記載の分配包装体１１０は、硬質樹脂材料の薄板から成形された矩形状の蓋部材１１１と、この蓋部材１１１の裏面側にその周縁部が固着された可撓性を有する軟質樹脂の薄膜から成形された収納部１１２とを有する。
蓋部材１１１の表面の中央には、ハーフカット２３を具備した折曲線１１３が、蓋部材１１１の幅の全体にわたって設けられている。また、収納部１１２は、折曲線１１３に対して左右対称に配設された一対のポケット１１２Ａ、１１２Ｂと、これらのポケット１１２Ａ、１１２Ｂを連通する連通部（図示省略）とを有する。
【０００６】
＜特許文献２の内容−２＞
蓋部材１１１の表面には、中空の三角形である複数の突条帯である長辺突条帯１１４、中辺突条帯１１５、短辺突条帯１１６が、折曲線１１３を跨ぐようにして前後方向に並設されている。長辺突条帯１１４、中辺突条帯１１５、短辺突条帯１１６は、蓋部材１１１の表面から突出して設けられている。
前後方向の最も外側には、長辺突条帯１１４がそれぞれ配設されている。一対の長辺突条帯１１４の間には、これらの長辺突条帯１１４よりも全長が短い中辺突条帯１１５と、中辺突条帯１１５よりもその全長が短い短辺突条帯１１６が設けられている。
近年、収納部１１２に、粒状の具材が入ったものが収納物として収納されるようになってきた。このため、蓋部材１１１を折曲線１１３において折り曲げて長辺突条帯１１４、中辺突条帯１１５、短辺突条帯１１６を開いたときに、長辺突条帯１１４、中辺突条帯１１５、短辺突条帯１１６全体として大きく開口して具材が引っ掛からないように、連続した蛇腹状に設けられている。
【０００７】
＜特許文献２の問題点＞
このように、特許文献２に記載の分配包装体１１０では、複数の突条帯である長辺突条帯１１４、中辺突条帯１１５、短辺突条帯１１６が、蓋部材１１１の表面から収納部１１２とは反対側に突出して設けられており、前述した特許文献１に記載の分配包装体（分配パッケージ）１００よりも強度が改善されている。
しかしながら、特許文献２に記載の分配包装体１１０においては、長さの異なる3つの突条帯を点対称に並ぶように配設する必要があることから、最低でも５つの突条帯が形成される。  このため、例えば、３つや4つの突条帯には対応できないという問題があった。
【先行技術文献】
【特許文献】
【０００８】
【特許文献１】特開平０６−８９６２号公報（第５図）
【特許文献２】特開２０１０−１２６２１６号公報（第１図）
【発明の概要】
【発明が解決しようとする課題】
【０００９】
＜本発明の目的＞
本発明は、従来の問題を解決するためになされたもので、突条帯の強度を増すことにより、輸送中や携帯中に使用者が突条帯を押した場合でも、破断して収納物が出てしまうのを防止できる分配包装体を提供することを目的とする。
【課題を解決するための手段】
【００１０】
＜請求項１の内容＞
（１）本願発明に係る１つの態様は、
第１の面における第１の方向に、直線状にハーフカットが設けられた硬質で平板状の蓋部材と、
前記蓋部材の第１の面において前記第１の方向と交差する第２の方向に直線状に平行に配設され、前記第１の面から突出するとともに前記ハーフカットが設けられた複数の中空の突条帯と、
前記蓋部材の第２の面において前記ハーフカットの両側に対応して周囲が前記第２の面に密着状態で設けられた可撓性材料からなる収納部と、を備え、
前記ハーフカットにおいて前記蓋部材を前記第２の面側に折り曲げたときに、前記複数の突条帯が前記ハーフカットに沿って割れ、前記各突条帯の中空部分が前記蓋部材の第１の面側に露出して開口し、前記収納部に収納された収納物を吐出する分配包装体において、
前記蓋部材における前記第１の面に前記突条帯を３列ないし５列連続して設け、
前記突条帯の長手方向における中央に前記ハーフカットを配置し、
前記突条帯の長手方向両端に、前記蓋部材の第１の面から略垂直に立ち上がる立上部を設け、
前記突条帯の前記第１の方向に沿った両外側に、前記突条帯と平行でかつ前記突条帯よりも長い補強リブを設けた分配包装体を提供する。
【００１１】
＜請求項２の内容＞
（２）上記（１）に記載の分配包装体において、
前記立上部の高さが、０．２ｍｍ以上１．０ｍｍ以下であってもよい。
【００１２】
＜請求項３の内容＞
（３）また、上記（１）又は（２）に記載の分配包装体において、
前記補強リブが、前記ハーフカットの位置で切断されるか又は前記ハーフカットが設けられていてもよい。
【発明の効果】
【００１３】
本発明は、突条帯を３列ないし５列連続して設け、突条帯の長手方向における中央にハーフカットを配置したので、蓋部材の強度低下を抑えることができる。また、蓋部材を第２の面側に折り曲げたときに、複数の突条帯がハーフカットに沿って割れ、各突条帯の中空部分が蓋部材の第１の面側に連続して大きく開口し、収納部に収納された収納物を詰まることなく吐出することができる。また、突条帯の長手方向両端に、蓋部材の第１の面から略垂直に立ち上がる立上部を設けたので、突条帯の強度を増すことができ、輸送中や携帯中に使用者が突条帯を押した場合でも、破断して収納物が出てしまうのを防止できるという効果を有する分配包装体を提供できる。
【図面の簡単な説明】
【００１４】
【図１】本発明に係る実施形態の分配包装体の全体斜視図
【図２】（ａ）は分配包装体の平面図、（ｂ）は（ａ）における矢印Ａ方向から見た正面図
【図３】図２（ａ）におけるＢ−Ｂ線で切断した拡大断面図
【図４】図２（ａ）におけるＣ−Ｃ線で切断した拡大断面図
【図５】分配包装体の作用説明図であり、（ａ）は分配包装体の縁を把持した状態を示す図、（ｂ）はハーフカットに沿って分配包装体を折り曲げて収納物を吐出させる状態を示す図
【図６】図５（ｂ）における矢印Ｄ方向から見た図
【図７】突条帯の他の構成例を示す図であり、図２（ａ）に対応する図
【図８】補強リブの他の構成例を示す図であり、図２（ｂ）に対応する図
【図９】特許文献１に記載の従来の分配包装体であり、（ａ）は全体斜視図、（ｂ）は正面図、（ｃ）は側面図
【図１０】特許文献２に記載の従来の分配包装体の全体斜視図
【発明を実施するための形態】
【００１５】
＜分配包装体の全体構成および用途＞
以下、本発明に係る実施形態の分配包装体について、図面を用いて説明する。
図１に示すように、本発明に係る実施形態の分配包装体１０は、硬質で矩形平板状の蓋部材２０を有する。蓋部材２０の表面（第１の面）２１には、複数の突条帯３０が設けられており、蓋部材２０の裏面（第２の面）２２には収納部４０が密封状態で設けられている。
分配包装体１０は、粒胡椒や野菜の断片といった大きな粒径の固形物を含んでいるソース、タルタルソース、ドレッシング、ジャム等の収納物４１（図３参照）を、運搬・携帯可能に密封収納するとともに、必要に応じて収納物４１を取り出すのに用いることができる。
【００１６】
＜蓋部材の説明＞
図２に示すように、蓋部材２０は、例えばポリスチレン等の硬質樹脂材料の薄板から矩形状に成形されている。蓋部材２０の表面（第１の面）２１における長手方向（第２の方向）の中央部には、ハーフカット２３が、幅方向（第１の方向）の全体にわたって直線状に設けられている。
ハーフカット２３は、蓋部材２０の表面（第１の面）２１側を、蓋部材２０の厚さ方向に途中まで（例えば、厚さの半分）カットして形成することができる。
【００１７】
＜突条帯の説明−１＞
蓋部材２０の表面（第１の面）２１における中央部には、表面（第１の面）２１から上方（図２（ｂ）において上方）に突出する突条帯３０が、蓋部材２０の長手方向に延びて設けられている。突条帯３０は、３ないし５列（ここでは、例えば４列）設けられており、各突条帯３０は連続して設けられている。
突条帯３０は、蓋部材２０を形成している薄板を金型成形法で上方に加熱成形させることにより中空の山型に形成される。
【００１８】
＜突条帯の説明−２＞
従って、図３に示すように、隣接する突条帯３０間で蓋部材２０と同一面に位置する最下点３１は点状に形成されており、隣接する複数個の突条帯３０の断面は、蛇腹状となっている。突条帯３０の中空部分３５は、収納部４０に連通している。
また、蓋部材２０の表面（第１の面）２１に設けられているハーフカット２３は、各突条帯３０の中央を横切って形成される（図２（ａ）参照）。
【００１９】
＜突条帯の説明−３＞
図４に示すように、突条帯３０を長手方向に切断した断面形状は、全体台形状を呈している。すなわち、長手方向両端には、蓋部材２０の表面（第１の面）２１から上方に垂直に立ち上がる立上部３２が設けられている。立上部３２の高さＨは、０．２ｍｍ以上１．０ｍｍ以下とすることができる。
隣接する複数個の突条帯３０の立上部３２は、蓋部材２０の幅方向に略連続して立壁状に設けられており（図２（ａ）参照）、突条帯３０を蛇腹状に連続して設けることにより低下した蓋部材２０の幅方向の剛性を補うリブとして作用する。
【００２０】
＜突条帯の説明−４＞
立上部３２の上端から長手方向中心側に向かって傾斜部３３が設けられており、傾斜部３３の上端同士を連結する平坦部３４が設けられている。
平坦部３４は、蓋部材２０の表面（第１の面）２１と平行であり、長手方向の中心には、蓋部材２０の表面（第１の面）２１に設けられているハーフカット２３が位置する。
【００２１】
＜補強リブの説明＞
図１および図２に示すように、蓋部材２０の表面（第１の面）２１における突条帯３０の幅方向外側には、補強リブ２４が表面（第１の面）２１から突出して設けられている。補強リブ２４は、ハーフカット２３を挟んで長手方向の両側に設けられている。補強リブ２４は、突条帯３０と平行でかつ突条帯３０よりも長く設けられている。
ここでは、補強リブ２４は、半長円形状の断面形状を有するが、補強リブ２４の断面形状は、特に限定するものではない。また、補強リブ２４は、突条帯３０の両側に２列ずつ設けられているが、１列ずつあるいは３列以上ずつでも可能である。
補強リブ２４は、蓋部材２０の表面（第１の面）２１に、金型成形法で上方に加熱成形させる一体成形や貼付け等により一体的に設けられている。  補強リブ２４は、蓋部材２０に設けられているハーフカット２３位置で、切断されるか又はハーフカットが設けられている。
【００２２】
＜収納部の説明−１＞
図２および図３に示すように、蓋部材２０の裏面（第２の面）２２に設けられている収納部４０は、ポリエチレン等の可撓性を有する軟質樹脂の薄膜から成形された可撓性材料から構成されており、周縁部（周囲）４４が蓋部材２０の裏面（第２の面）２２に密着されている。
収納部４０は、蓋部材２０のハーフカット２３に対して左右対称に配設された左右一対のポケット４２、４３と、これらのポケット４２、４３を連通する連通部４５とを有している。
【００２３】
＜使用方法の説明−１＞
次に、分配包装体１０の使用方法について説明する。
まず、図５（ａ）に示すように、収納部４０を上にして蓋部材２０の長手方向両端２５、２６（図２（ａ）参照）を、２本の指Ｆで持つ。
次いで、２本の指Ｆを近付けるように押圧して（図５（ａ）中矢印Ａ参照）、蓋部材２０をハーフカット２３を中心として下方に湾曲させる。
【００２４】
＜使用方法の説明−２＞
これにより、図５（ｂ）に示すように、蓋部材２０は、ハーフカット２３を起点として表面（第１の面）２１側（図５（ｂ）において下方）にＶ字形に折れ曲がり、蓋部材２０が割れると同時に複数の突条帯３０がそれぞれ２つに割れる。このとき、蓋部材２０は収納部４０を形成している薄膜に密着しているので、蓋部材２０は分離しない。
蓋部材２０が割れると同時に、突条帯３０の中空部分３５（図３参照）が蓋部材２０の表面（第１の面）２１側に露出し、連続して設けられた複数の突条帯３０が蛇腹状に一体的に開口する（蛇腹状開口部３６、図６参照）。
【００２５】
＜使用方法の説明−３＞
さらに２本の指Ｆを近付けると、蓋部材２０のハーフカット２３位置を中心として蓋部材２０が鋭角のＶ字に変形し、収納部４０の一対のポケット４２、４３が互いに他方を押圧する。
これにより、ポケット４２、４３に収納されている収納物４１が、中空部分３５を通って蛇腹状開口部３６から押し出される（図５（ｂ）中矢印Ｂ参照）。
このとき、２本の指Ｆにより形成される蓋部材２０のＶ字形状の角度（尖り具合）を調整することにより、押し出す収納物４１の量を調整する。
【００２６】
＜請求項１に対する作用・効果−１＞
次に、本発明に係る実施形態の分配包装体１０の作用・効果について説明する。
分配包装体１０は、表面（第１の面）２１における幅方向に、直線状のハーフカット２３が設けられた硬質で平板状の蓋部材２０を有する。蓋部材２０の表面（第１の面）２１において幅方向と交差する長手方向には、表面（第１の面）２１から突出するとともにハーフカット２３が設けられた複数の中空の突条帯３０が、直線状に平行に配設される。
また、蓋部材２０の裏面（第２の面）２２において、周縁部（周囲）４４が裏面（第２の面）２２に密着状態で設けられた可撓性材料からなる収納部４０が、ハーフカット２３の両側に対応して設けられている。
【００２７】
＜請求項１に対する作用・効果−２＞
そして、蓋部材２０における表面（第１の面）２１に突条帯３０を３列ないし５列連続して設けたので、突条帯３０を設けることによる蓋部材２０の強度の低下を抑えることができる。
また、突条帯３０の長手方向における中央にハーフカット２３を配置したので、ハーフカット２３において蓋部材２０を裏面（第２の面）２２側に折り曲げたときに、複数の突条帯３０がハーフカット２３に沿って割れ、各突条帯３０の中空部分３５が蓋部材２０の表面（第１の面）２１側に連続して大きく蛇腹状開口部３６が形成される。
これにより、収納部４０に収納された収納物４１を詰まることなく吐出することができる。
【００２８】
＜請求項１に対する作用・効果−３＞
また、突条帯３０の長手方向両端に、蓋部材２０の表面（第１の面）２１から略垂直に立ち上がる立上部３２を設けたので、突条帯３０の強度を増すことができ、輸送中や携帯中に使用者が突条帯３０を押した場合でも、破断して収納物４１が出てしまうのを防止できる。
また、突条帯３０の幅方向に沿った両外側に、突条帯３０と平行でかつ突条帯３０よりも長い補強リブ２４を設けたので、蓋部材２０の長手方向の剛性を増すことができる。  
【００２９】
＜請求項２に対する作用・効果＞
また、突条帯３０の長手方向両端に設けた立上部３２の高さが、０．２ｍｍ以上１．０ｍｍ以下であるので、突条帯３０の強度を増すことができるとともに、突条帯３０を容易に形成することができる。
【００３０】
＜請求項３に対する作用・効果＞
さらに、突条帯３０の幅方向に沿った両外側に設けた補強リブ２４が、ハーフカット２３の位置で切断されるか又はハーフカット２３を設けたので、蓋部材２０の剛性を増すことができるとともに、蓋部材２０をハーフカット２３に沿って容易に折り曲げることができる。
【００３１】
＜突条帯の変形例−１＞
本発明の分配包装体１０は、前述した実施形態に限定されるものでなく、適宜な変形、改良等が可能である。
例えば、前述した実施形態においては、突条帯３０を蓋部材２０の表面（第１の面）２１の中央に、平行でかつ長手方向に揃えて配置した場合を例示したが、本発明は、図７に示すように、隣接する突条帯３０を長手方向にずらして配置することも可能である。
この場合には、複数の突条帯３０を中心ＣＰに対して点対称に配置するのが望ましい。また、ハーフカット２３は、一直線となるように設ける。
【００３２】
＜補強リブの変形例−１＞
さらに、前述した実施形態においては、蓋部材２０の表面（第１の面）２１に設けた補強リブ２４を、ハーフカット２３の位置で分割した場合を例示したが、図８に示すように、ハーフカット２３を跨いで補強リブ２４を長手方向に連続して設けることも可能である。
この場合、補強リブ２４にもハーフカット２３又は切断線を設ける必要がある。
【符号の説明】
【００３３】
１０  分配包装体
２０  蓋部材
２１  表面（第１の面）
２２  裏面（第２の面）
２３  ハーフカット
２４  補強リブ
３０  突条帯
３２  立上部
３５  中空部分
４０  収納部
４１  収納物
４４  周縁部（周囲）
Ｈ  立上部の高さ
【図１】
2015098349.tif 000003
【図２】
2015098349.tif 000004
【図３】
2015098349.tif 000005
【図４】
2015098349.tif 000006
【図５】
2015098349.tif 000007
【図６】
2015098349.tif 000008
【図７】
2015098349.tif 000009
【図８】
2015098349.tif 000010
【図９】
2015098349.tif 000011
【図１０】
2015098349.tif 000012